(57)【特許請求の範囲】
【請求項１】
タグ基材と、
このタグ基材に装備するとともにＩＣチップおよびＲＦＩＤアンテナを有して無線によるデータ通信が可能なＲＦＩＤインレットと、を有して、物品に取り付けるＲＦＩＤタグであって、
前記タグ基材は、
前記ＲＦＩＤインレットを備えるインレット保持領域と、
このインレット保持領域の前記ＲＦＩＤインレットの長さ方向に沿った端縁部に形成するとともに、前記物品に対して前記ＲＦＩＤインレットを起立させるための起立用領域と、
この起立用領域の左右に隣り合って位置し前記端縁部に形成しているとともに、取付け具を挿通するための貫通孔をそれぞれに形成した左右一対の挿通領域と、にこれを画成してあり、
前記挿通領域には前記挿通領域のそれぞれの端部を接続する接続領域を形成してあり、
前記起立用領域および前記挿通領域は、前記インレット保持領域の面に対して互いに反対方向に独立して屈曲可能であり、
前記起立用領域が前記物品に乗り上げることにより、前記ＲＦＩＤインレットを前記物品から離反可能であることを特徴とするＲＦＩＤタグ。
【請求項２】
前記貫通孔を結ぶ線方向は、
前記ＲＦＩＤインレットの前記長さ方向に対して平行であることを特徴とする請求項１記載のＲＦＩＤタグ。
【請求項３】
前記取付け具は、
ストラップ状のバンド本体と、このバンド本体の一方端部に形成したヘッド部およびこのバンド本体の他方端部に形成したテール部と、を有するとともに、
このテール部を前記ヘッド部の貫通係合孔に挿通係合して当該ＲＦＩＤタグを前記物品に取り付け可能な結束バンドであることを特徴とする請求項１または２記載のＲＦＩＤタグ。
【請求項４】
タグ基材と、
このタグ基材に装備するとともにＩＣチップおよびＲＦＩＤアンテナを有して無線によるデータ通信が可能なＲＦＩＤインレットと、を有して、物品に取り付けるＲＦＩＤタグの取付け方法であって、
前記タグ基材は、
前記ＲＦＩＤインレットを備えるインレット保持領域と、
このインレット保持領域の前記ＲＦＩＤインレットの長さ方向に沿った端縁部に形成するとともに、前記物品に対して前記ＲＦＩＤインレットを起立させるための起立用領域と、
この起立用領域の左右に隣り合って位置し前記端縁部に形成しているとともに、取付け具を挿通するための貫通孔をそれぞれに形成した左右一対の挿通領域と、にこれを画成してあり、
前記挿通領域には前記挿通領域のそれぞれの端部を接続する接続領域を形成してあり、
前記起立用領域および前記挿通領域は、前記インレット保持領域の面に対して互いに反対方向に独立して屈曲可能であり、
前記取付け具を前記貫通孔に挿通した状態で、前記取付け具を前記物品に掛け回し、
前記取付け具により前記物品を締め付けるとともに、
前記起立用領域を前記物品に対して乗り上げさせることにより、前記インレット保持
領域内の前記ＲＦＩＤインレットが前記物品から離反するように前記ＲＦＩＤタグを前記物品に取り付けることを特徴とするＲＦＩＤタグの取付け方法。
【請求項５】
タグ基材と、
このタグ基材に装備するとともにＩＣチップおよびＲＦＩＤアンテナを有して無線によるデータ通信が可能なＲＦＩＤインレットと、を有して、物品に取り付けるＲＦＩＤタグであって、
前記タグ基材は、
前記ＲＦＩＤインレットを備えるインレット保持領域と、
このインレット保持領域の前記ＲＦＩＤインレットの長さ方向に沿った端縁部に形成するとともに、前記物品に対して前記ＲＦＩＤインレットを起立させるための起立用領域と、
この起立用領域の左右に隣り合って位置し前記端縁部に形成しているとともに、取付け具を挿通するための貫通孔をそれぞれに形成した左右一対の挿通領域と、にこれを画成してあり、
前記挿通領域には前記挿通領域のそれぞれの端部を接続する接続領域を形成してあり、
前記起立用領域および前記挿通領域は、前記インレット保持領域の面に対して互いに反対方向に独立して屈曲可能であり、
前記起立用領域が前記物品に乗り上げることにより、前記ＲＦＩＤインレットを前記物品から離反可能であり、
さらに、前記起立用領域には、前記貫通孔にそれぞれ重ね合わせ可能な一対の補助貫通孔を形成していることを特徴とするＲＦＩＤタグ。
【請求項６】
タグ基材と、
このタグ基材に装備するとともにＩＣチップおよびＲＦＩＤアンテナを有して無線によるデータ通信が可能なＲＦＩＤインレットと、を有して、物品に取り付けるＲＦＩＤタグの取付け方法であって、
前記タグ基材は、
前記ＲＦＩＤインレットを備えるインレット保持領域と、
このインレット保持領域の前記ＲＦＩＤインレットの長さ方向に沿った端縁部に形成するとともに、前記物品に対して前記ＲＦＩＤインレットを起立させるための起立用領域と、
この起立用領域の左右に隣り合って位置し前記端縁部に形成しているとともに、取付け具を挿通するための貫通孔をそれぞれに形成した左右一対の挿通領域と、にこれを画成してあり、
前記挿通領域には前記挿通領域のそれぞれの端部を接続する接続領域を形成してあり、
前記起立用領域および前記挿通領域は、前記インレット保持領域の面に対して互いに反対方向に独立して屈曲可能であり、
前記起立用領域が前記物品に乗り上げることにより、前記ＲＦＩＤインレットを前記物品から離反可能であり、
さらに、前記起立用領域には、前記貫通孔にそれぞれ重ね合わせ可能な一対の補助貫通孔を形成しており、
前記取付け具を前記貫通孔および前記補助貫通孔に挿通した状態で、前記取付け具を前記物品に掛け回し、前記取付け具により前記物品を締め付けるとともに、
前記インレット保持領域を前記起立用領域および前記挿通領域に対して前記端縁部から変形させることにより、前記インレット保持領域内の前記ＲＦＩＤインレットが前記物品から離反するように前記ＲＦＩＤタグを前記物品に取り付けることを特徴とするＲＦＩＤタグの取付け方法。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）タグおよびその取付け方法にかかるもので、とくに金属製品に取り付けるためのＲＦＩＤタグおよびその取付け方法に関するものである。
【背景技術】
【０００２】
従来から、ＩＣチップおよびＲＦＩＤアンテナを有して無線によりデータの書込みおよび読取りを行うことができるＲＦＩＤインレットを備えたＲＦＩＤタグを各種物品に取り付け、これら物品ついての各種データの読み書きを行って、必要なデータ管理など諸々の分野に利用している。
【０００３】
しかして、上記物品が、たとえばガスボンベなどの金属製である場合には、上記ＲＦＩＤタグが物品に近接しすぎた状態で取り付けられると、データ通信に支障が生じやすいという問題がある。
この問題を解消するために、上記ＲＦＩＤインレットの保持部分を折曲げ部において折り曲げることにより他の部分から離反させ、金属表面から旗のように起立させるようにしたＲＦＩＤタグがある。
【０００４】
しかしながら、このようなＲＦＩＤタグは、紙製であるとともに、折曲げ部が固定されていないために安定性がなく、その起立状態が不安定で、ＲＦＩＤタグの取付け条件によってデータ通信性能に差が出てしまうとともに、長期間の使用および耐環境性に問題がある。
さらに、ＲＦＩＤタグを金属製品に取り付けるために両面テープなどを用いているために、両面テープで固定困難な表面を有する製品の場合には使用することができないという問題がある。
【０００５】
さらにまた、金属製品へのＲＦＩＤタグの取付け姿勢が適正ではない場合には、ＲＦＩＤタグの各部位（たとえば、その中央部や両端部）と金属製品との間の間隔が各部位によっては不均一となり、ＲＦＩＤタグと読取り機器との間のデータ通信性能が不安定となるという問題がある。
【先行技術文献】
【特許文献】
【０００６】
【特許文献１】特開２００７−１２２５４２号公報
【発明の概要】
【発明が解決しようとする課題】
【０００７】
本発明は以上のような諸問題にかんがみなされたもので、ＲＦＩＤタグを取り付ける物品が金属製であっても、データ通信に支障がないようにしたＲＦＩＤタグおよびその取付け方法を提供することを課題とする。
【０００８】
また本発明は、物品に対してＲＦＩＤインレットを起立離間した状態に安定して保持可能なＲＦＩＤタグおよびその取付け方法を提供することを課題とする。
【０００９】
また本発明は、長期間の使用にあたっても、ＲＦＩＤタグの起立状態を安定性良好に維持可能であるとともに耐環境性に優れたＲＦＩＤタグおよびその取付け方法を提供することを課題とする。
【００１０】
また本発明は、物品とくに金属製品との間の取付け姿勢を適正に保持可能なＲＦＩＤタグおよびその取付け方法を提供することを課題とする。
【課題を解決するための手段】
【００１１】
すなわち本発明は、タグ基材を、ＲＦＩＤインレットを備えるインレット保持領域と、物品に対してＲＦＩＤインレットを起立させるための起立用領域と、取付け具を挿通するための貫通孔をそれぞれに形成した左右一対の挿通領域と、に画成することに着目したもので、第一の発明は、タグ基材と、このタグ基材に装備するとともにＩＣチップおよびＲＦＩＤアンテナを有して無線によるデータ通信が可能なＲＦＩＤインレットと、を有して、物品に取り付けるＲＦＩＤタグであって、上記タグ基材は、上記ＲＦＩＤインレットを備えるインレット保持領域と、このインレット保持領域の上記ＲＦＩＤインレットの長さ方向に沿った端縁部に形成するとともに、上記物品に対して上記ＲＦＩＤインレットを起立させるための起立用領域と、この起立用領域に隣り合って上記端縁部に形成しているとともに、取付け具を挿通するための貫通孔をそれぞれに形成した左右一対の挿通領域と、にこれを画成していることを特徴とするＲＦＩＤタグである。
【００１２】
第二の発明は、タグ基材と、このタグ基材に装備するとともにＩＣチップおよびＲＦＩＤアンテナを有して無線によるデータ通信が可能なＲＦＩＤインレットと、を有して、物品に取り付けるＲＦＩＤタグの取付け方法であって、上記タグ基材は、上記ＲＦＩＤインレットを備えるインレット保持領域と、このインレット保持領域の上記ＲＦＩＤインレットの長さ方向に沿った端縁部に形成するとともに、上記物品に対して上記ＲＦＩＤインレットを起立させるための起立用領域と、この起立用領域に隣り合って形成しているとともに、取付け具を挿通するための貫通孔をそれぞれ形成した左右一対の挿通領域と、にこれを画成してあり、上記取付け具を上記貫通孔に挿通した状態で、上記取付け具を上記物品に掛け回し、上記取付け具により上記物品を締め付けるとともに、上記起立用領域を上記物品に対して乗り上げさせることにより、上記インレット保持領域内の上記ＲＦＩＤインレットが上記物品から離反するように上記ＲＦＩＤタグを上記物品に取り付けるＲＦＩＤタグの取付け方法である。
【００１３】
第三の発明は、タグ基材と、このタグ基材に装備するとともにＩＣチップおよびＲＦＩＤアンテナを有して無線によるデータ通信が可能なＲＦＩＤインレットと、を有して、物品に取り付けるＲＦＩＤタグであって、上記タグ基材は、上記ＲＦＩＤインレットを備えるインレット保持領域と、このインレット保持領域の上記ＲＦＩＤインレットの長さ方向に沿った端縁部に形成するとともに、上記物品に対して上記ＲＦＩＤインレットを起立させるための起立用領域と、この起立用領域に隣り合って上記端縁部に形成しているとともに、取付け具を挿通するための貫通孔をそれぞれに形成した左右一対の挿通領域と、にこれを画成し、さらに、上記起立用領域には、上記貫通孔にそれぞれ重ね合わせ可能な一対の補助貫通孔を形成していることを特徴とするＲＦＩＤタグである。
【００１４】
第四の発明は、タグ基材と、このタグ基材に装備するとともにＩＣチップおよびＲＦＩＤアンテナを有して無線によるデータ通信が可能なＲＦＩＤインレットと、を有して、物品に取り付けるＲＦＩＤタグの取付け方法であって、上記タグ基材は、上記ＲＦＩＤインレットを備えるインレット保持領域と、このインレット保持領域の上記ＲＦＩＤインレットの長さ方向に沿った端縁部に形成するとともに、上記物品に対して上記ＲＦＩＤインレットを起立させるための起立用領域と、この起立用領域に隣り合って上記端縁部に形成しているとともに、取付け具を挿通するための貫通孔をそれぞれに形成した左右一対の挿通領域と、にこれを画成し、さらに、上記起立用領域には、上記貫通孔にそれぞれ重ね合わせ可能な一対の補助貫通孔をそれぞれ形成しており、上記取付け具を上記貫通孔および上記補助貫通孔に挿通した状態で、上記取付け具を上記物品に掛け回し、上記取付け具により上記物品を締め付けるとともに、上記インレット保持領域を上記起立用領域および上記挿通領域に対して上記端縁部から変形させることにより、上記インレット保持領域内の上記ＲＦＩＤインレットが上記物品から離反するように上記ＲＦＩＤタグを上記物品に取り付けることを特徴とするＲＦＩＤタグの取付け方法である。
【００１５】
上記挿通領域は、上記起立用領域の左右に位置してこれを画成していることができる。
【００１６】
上記挿通領域のそれぞれの端部を接続する接続領域を形成していることができる。
【００１７】
上記起立用領域および上記挿通領域は、上記インレット保持領域の面に対して互いに反対方向に独立して屈曲可能であることができる。
【００１８】
上記起立用領域が上記物品に乗り上げることにより、上記ＲＦＩＤインレットを上記物品から離反可能であることができる。
【００１９】
上記貫通孔を結ぶ線方向は、上記ＲＦＩＤインレットの上記長さ方向に対して平行であることができる。
【００２０】
上記取付け具は、ストラップ状のバンド本体と、このバンド本体の一方端部に形成したヘッド部およびこのバンド本体の他方端部に形成したテール部と、を有するとともに、このテール部を上記ヘッド部の貫通係合孔に挿通係合して当該ＲＦＩＤタグを上記物品に取り付け可能な結束バンドであることができる。
【発明の効果】
【００２１】
本発明によるＲＦＩＤタグおよびその取付け方法においては、タグ基材を、ＲＦＩＤインレットを備えるインレット保持領域と、物品に対してＲＦＩＤインレットを起立させるための起立用領域と、取付け具を挿通するための貫通孔をそれぞれに形成した左右一対の挿通領域と、に画成し、取付け具を用いてＲＦＩＤタグを物品に取り付けることにより、ＲＦＩＤインレットを物品の表面から起立した姿勢を保持可能としたので、物品が金属製の場合であっても、ＲＦＩＤインレットが物品の表面から離間した状態を安定して確実に保持可能であり、長期間にわたってデータ通信機能を維持可能で、耐環境性も良好なＲＦＩＤタグとすることができる。
【００２２】
とくに第一の発明のＲＦＩＤタグによれば、タグ基材を、ＲＦＩＤインレットを備えるインレット保持領域と、物品に対してＲＦＩＤインレットを起立させるための起立用領域と、取付け具を挿通するための貫通孔をそれぞれに形成した左右一対の挿通領域と、に画成し、取付け具を用いて物品に取り付けることにより、ＲＦＩＤインレットを物品の表面から起立した姿勢を保持可能としたので、ＲＦＩＤインレットを物品の表面から離反した状態でＲＦＩＤタグを取り付けることができる。
【００２３】
とくに第二の発明のＲＦＩＤタグの取付け方法によれば、取付け具を貫通孔に挿通した状態で、取付け具を物品に掛け回し、取付け具により物品を締め付けるとともに、起立用領域を物品に対して乗り上げさせることにより、インレット保持領域内のＲＦＩＤインレットが物品の表面から離反するようにＲＦＩＤタグを物品に取り付けることができ、取付け作業が確実かつ簡単でタグ基材の起立状態を安定して確実に保持することができる。
【００２４】
とくに第三の発明のＲＦＩＤタグによれば、起立用領域には、挿通領域における一対の貫通孔にそれぞれ重ね合わせ可能な一対の補助貫通孔を形成し、貫通孔および補助貫通孔に取付け具を挿通してＲＦＩＤインレットが物品から離反するように物品に取り付けるので、ＲＦＩＤインレットの起立状態を安定して確実に保持することができる。
【００２５】
とくに第四の発明のＲＦＩＤタグの取付け方法によれば、取付け具を貫通孔および補助貫通孔に挿通した状態で物品に掛け回し、取付け具により物品を締め付けるとともに、インレット保持領域を起立用領域および挿通領域に対して端縁部から変形させることにより、インレット保持領域内のＲＦＩＤインレットが物品から離反するようにＲＦＩＤタグを物品に取り付けるので、ＲＦＩＤインレットの起立状態を安定して確実に保持することができる。
【図面の簡単な説明】
【００２６】
【図１】本発明の第１の実施例によるＲＦＩＤタグ１の平面図である。
【図２】同、図１のＩＩ−ＩＩ線断面図である。
【図３】同、結束バンド１２（取付け具）の側面図である。
【図４】同、結束バンド１２の要部拡大断面図である。
【図５】同、結束バンド１２を用いてＲＦＩＤタグ１を任意の金属製品Ｍ（首部ＭＮ）に取り付ける状態の途中を示す斜視図である。
【図６】同、結束バンド１２を用いてＲＦＩＤタグ１を金属製品Ｍ（首部ＭＮ）に取り付けた状態を示す側面図である。
【図７】本発明の第２の実施例によるＲＦＩＤタグ２０の平面図である。
【図８】同、結束バンド１２を用いてＲＦＩＤタグ２０を任意の金属製品Ｍ（首部ＭＮ）に取り付ける状態の途中を示す斜視図である。
【図９】同、結束バンド１２を用いてＲＦＩＤタグ２０を金属製品Ｍ（首部ＭＮ）に取り付けた状態を示す側面図である。
【図１０】本発明の第３の実施例によるＲＦＩＤタグ３０の平面図である。
【図１１】同、結束バンド１２を用いてＲＦＩＤタグ３０を任意の金属製品Ｍ（首部ＭＮ）に取り付ける状態の途中を示す斜視図である。
【図１２】同、結束バンド１２を用いてＲＦＩＤタグ３０を金属製品Ｍ（首部ＭＮ）に取り付けた状態を示す側面図である。
【発明を実施するための形態】
【００２７】
本発明は、取付け具をタグ基材の貫通孔に挿通して金属製品その他の物品にＲＦＩＤタグを取り付けるようにしたので、起立用領域によりＲＦＩＤインレットを物品の表面から離間した状態で長期にわたって安定かつ確実に取り付けておくことができ、そのデータ通信機能を保障可能なＲＦＩＤタグおよびその取付け方法を実現した。
【実施例】
【００２８】
つぎに本発明の第１の実施例によるＲＦＩＤタグ１およびその取付け方法を図１ないし図６にもとづき説明する。
図１は、ＲＦＩＤタグ１の平面図、図２は、図１のＩＩ−ＩＩ線断面図であって、ＲＦＩＤタグ１は、タグ基材２と、ＲＦＩＤインレット３と、を有する。
【００２９】
タグ基材２は、所定の柔軟性ないし弾性、および剛性を有する、たとえば合成樹脂製の平面状シート基材であって、その内部にＲＦＩＤインレット３を備えている。
【００３０】
ＲＦＩＤインレット３は、たとえばポリエチレンテレフタレートないしその積層フィルムなどによるインレット基材４と、ＩＣチップ５およびＲＦＩＤアンテナ６と、を有して無線によるデータ通信が可能である。
ＲＦＩＤインレット３は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ６を介してＩＣチップ５に必要なデータの無線による読み取りおよび書き込み（データ通信）を行う。
ただし、それぞれの使用電波に応じてＩＣチップ５およびＲＦＩＤアンテナ６の具体的構成を適正なものとしている。
とくにＵＨＦ帯（たとえば、８６０〜９６０ＭＨｚ）レベルの波長を有する電波を使用するものでは、その通信距離が通常は５〜１０ｍ程度であり、各種の分野における応用が期待されている。
【００３１】
タグ基材２は、ＲＦＩＤインレット３を備えるインレット保持領域７と、起立用領域８と、左右一対の挿通領域９と、にこれを画成している。さらに挿通領域９のそれぞれの端部を接続する接続領域１０を形成している。
【００３２】
インレット保持領域７は、ＲＦＩＤインレット３の長さ方向３Ａに沿った、一般的に、細長矩形状にこれを形成している。
【００３３】
起立用領域８は、インレット保持領域７のＲＦＩＤインレット３の長さ方向３Ａに沿った端縁部７Ａの中央部から延びるようにこれを形成するとともに、物品（たとえば金属製品Ｍ、図５、図６）に対してＲＦＩＤインレット３を起立させるための領域である。
【００３４】
左右一対の挿通領域９は、起立用領域８の左右に隣り合った位置において、上記端縁部７Ａに、起立用領域８と同方向に延びるように形成しているとともに、取付け具（結束バンド１２、図３および図４にもとづき後述）を挿通するための貫通孔１１をそれぞれに形成している。貫通孔１１は、図示の例では、円形状であるが、結束バンド１２に合わせて細長形状その他任意の形状を採用可能である。
挿通領域９における貫通孔１１の形成位置は、金属製品ＭおよびＲＦＩＤタグ１の大きさ、ＲＦＩＤタグ１の材質などによって任意に設計可能であるが、図示の例では、たとえば、挿通領域９の比較的基部に近い位置にこれを形成している。
【００３５】
起立用領域８および挿通領域９は、図５および図６において後述するように、タグ基材２が所定の柔軟性ないし弾性および剛性を有するため、インレット保持領域７の面に対して、端縁部７Ａを境にして互いに反対方向に独立して屈曲可能であり、起立用領域８が物品に乗り上げることにより、ＲＦＩＤインレット３を物品から離反可能である。
【００３６】
なお、左右一対の貫通孔１１を結ぶ線方向１１Ａは、ＲＦＩＤインレット３の長さ方向３Ａに対して、（したがって、端縁部７Ａに対しても）平行である。
【００３７】
接続領域１０は、それぞれの挿通領域９の先端部を接続しており、挿通領域９と一体的に操作可能である。
【００３８】
図３は、結束バンド１２（取付け具）の側面図、図４は、結束バンド１２の要部拡大断面図であって、結束バンド１２は、たとえばナイロンなどによりこれを構成しているもので、所定の長さを有するストラップ状のバンド本体１３と、このバンド本体１３の一方端部に形成した膨出形状のヘッド部１４と、このバンド本体１３の他方端部に形成したテーパー状のテール部１５と、を有する。
【００３９】
とくに図４に示すように、ヘッド部１４には、貫通係合孔１６を形成し、貫通係合孔１６内に固定用弾性係合突起１７を形成している。
【００４０】
バンド本体１３の一方の面には、固定用弾性係合突起１７に係合して結束バンド１２全体を任意の円周長さのリング状に締め付けて固定可能とするための凹凸形状の帯状係合部１８を形成してある。
また、テール部１５の一方の面には、このテール部１５をつまみやすくするための凹凸部１９を形成してある。
したがって、テール部１５をまずＲＦＩＤタグ１の貫通孔１１に挿通するとともに、ヘッド部１４の貫通係合孔１６に挿通し、固定用弾性係合突起１７に帯状係合部１８の任意の部位を係合して、バンド本体１３を所定の円周長さのリング状とすることにより、ＲＦＩＤタグ１を物品（金属製品Ｍ、図５および図６、後述）に取り付け可能である。
【００４１】
ただし、前記貫通孔１１（図１、図３）は、結束バンド１２のヘッド部１４より小さくこれを形成することが必要である。
【００４２】
なお本発明における取付け具としては、所定の剛性および締付け性能を有するものであれば、上記結束バンド１２以外にも任意の紐状部材を採用可能である。
【００４３】
こうした構成のＲＦＩＤタグ１において、結束バンド１２を用いてＲＦＩＤタグ１を任意の物品（たとえば金属製品Ｍないしはその首部ＭＮ）に取り付けることができる。
すなわち、図５は、結束バンド１２を用いてＲＦＩＤタグ１を任意の金属製品Ｍ（首部ＭＮ）に取り付ける状態の途中を示す斜視図、図６は、結束バンド１２を用いてＲＦＩＤタグ１を金属製品Ｍ（首部ＭＮ）に取り付けた状態を示す側面図である。
【００４４】
図５に示すように、タグ基材２の起立用領域８を端縁部７Ａを境にして首部ＭＮの表面に沿って折り返し、結束バンド１２をそのテール部１５から挿通領域９の貫通孔１１に挿通した状態で、バンド本体１３を首部ＭＮに掛け回し、テール部１５をヘッド部１４の貫通係合孔１６に挿通してゆく。
【００４５】
ついで図６に示すように、テール部１５をヘッド部１４に対してさらに引き出すように引っ張り、リング状となったバンド本体１３により首部ＭＮを締め付けることにより、起立用領域８を首部ＭＮの表面に乗り上げさせ、起立用領域８が首部ＭＮの外表面に密着するとともに、インレット保持領域７が端縁部７Ａの部分で屈曲して首部ＭＮから起立する状態とする。また、挿通領域９および貫通孔１１さらに接続領域１０も金属製品Ｍの外表面に密着することになるとともに、結束バンド１２のヘッド部１４における固定用弾性係合突起１７および凹凸形状の帯状係合部１８の互いの係合状態が保持されているため、この起立状態を確実にすることができる。
【００４６】
かくして、インレット保持領域７内にあるＲＦＩＤインレット３が金属製品Ｍの首部ＭＮから離反するように、ＲＦＩＤタグ１を金属製品Ｍに取り付けることができる。
したがって、ＲＦＩＤインレット３が金属製品Ｍから離間した状態を保つため、データ通信機能を維持可能である。
しかも、インレット保持領域７の内部に収容されているＲＦＩＤインレット３は、その長さ方向３Ａにおいて金属製品Ｍの表面との相対位置関係をほぼ均一にするようにその取付け姿勢を調整するように取り付けることができるので、データ通信機能を安定化することができる。
とくに金属製品Ｍの首部ＭＮとは異なる形状に製作されているその肩部ＭＳと、ＲＦＩＤインレット３との相対位置関係も、首部ＭＮとＲＦＩＤインレット３との相対位置関係とほぼ同等とすることができるので、ＲＦＩＤタグ１の金属製品Ｍへの取付け姿勢を適正に維持可能である。
【００４７】
図７は、本発明の第２の実施例によるＲＦＩＤタグ２０の平面図であって、ＲＦＩＤタグ２０は、既述のＲＦＩＤタグ１（図１、第１の実施例）と同様に、前記インレット保持領域７に相当するインレット保持領域２１と、前記起立用領域８に相当する起立用領域２２と、左右一対の前記挿通領域９に相当する左右一対の挿通領域２３と、を有する。
【００４８】
インレット保持領域２１には、前記ＲＦＩＤインレット３を収容している。
【００４９】
起立用領域２２は、インレット保持領域２１のＲＦＩＤインレット３の長さ方向３Ａに沿った端縁部２１Ａの中央部に形成する。ただし、起立用領域２２は、前記起立用領域８（図１）に比較して面積として縦横方向にやや大きくこれを形成している。
【００５０】
一対の挿通領域２３は、起立用領域２２の左右に位置して、前記挿通領域９（図１）に比較して長くこれを形成し、その先端部にそれぞれ前記貫通孔１１を形成している。
【００５１】
なお、左右一対の貫通孔１１を結ぶ線方向１１Ａは、ＲＦＩＤインレット３の長さ方向３Ａに対して、（したがって、端縁部２１Ａに対しても）平行である。
【００５２】
こうした構成のＲＦＩＤタグ２０においても、結束バンド１２を用いてＲＦＩＤタグ２０を任意の物品（たとえば金属製品Ｍないしはその首部ＭＮ）に取り付けることができる。
すなわち、図８は、結束バンド１２を用いてＲＦＩＤタグ２０を任意の金属製品Ｍ（首部ＭＮ）に取り付ける状態の途中を示す斜視図、図９は、結束バンド１２を用いてＲＦＩＤタグ２０を金属製品Ｍ（首部ＭＮ）に取り付けた状態を示す側面図である。
【００５３】
図８に示すように、タグ基材２のインレット保持領域２１を端縁部２１Ａを境にして首部ＭＮの表面に沿って折り返し、結束バンド１２をそのテール部１５から挿通領域２３の貫通孔１１に挿通した状態で、バンド本体１３を首部ＭＮに掛け回し、テール部１５をヘッド部１４の貫通係合孔１６に挿通してゆく。
【００５４】
ついで図９に示すように、テール部１５をヘッド部１４に対してさらに引き出すように引っ張り、リング状となったバンド本体１３により首部ＭＮを締め付けることにより、起立用領域２２の先端縁２２Ａを首部ＭＮの表面に乗り上げさせ、起立用領域２２の先端部２２Ａが首部ＭＮの外表面に密着するとともに、インレット保持領域２１がその端縁部２１Ａの部分で屈曲して首部ＭＮから起立する状態とする。
かくして、インレット保持領域２１内にあるＲＦＩＤインレット３が金属製品Ｍから離反するように、ＲＦＩＤタグ２０を金属製品Ｍに取り付けることができる。
したがって、ＲＦＩＤインレット３が金属製品Ｍから離間した状態を保つため、データ通信機能を維持可能である。
しかも、インレット保持領域２１の内部に収容されているＲＦＩＤインレット３は、その長さ方向３Ａにおいて金属製品Ｍ（首部ＭＮおよび肩部ＭＳ）の表面との相対位置関係をほぼ均一にするようにその取付け姿勢を調整するように取り付けることができるので、データ通信機能を安定化することができる。
【００５５】
図１０は、本発明の第３の実施例によるＲＦＩＤタグ３０の平面図であって、ＲＦＩＤタグ３０は、既述のＲＦＩＤタグ２０（図７、第２の実施例）と同様に、前記インレット保持領域２１に相当するインレット保持領域３１と、前記起立用領域２２に相当する起立用領域３２と、左右一対の前記挿通領域２３に相当する左右一対の挿通領域３３と、を有する。
【００５６】
インレット保持領域３１には、前記ＲＦＩＤインレット３を収容している。
【００５７】
起立用領域３２は、インレット保持領域３１のＲＦＩＤインレット３の長さ方向３Ａに沿った端縁部３１Ａの中央部にこれを形成する。
起立用領域３２には、挿通領域３３における一対の貫通孔１１にそれぞれ重ね合わせ可能な一対の補助貫通孔３４を形成している
起立用領域３２は、挿通領域３３に比較してやや長くこれを形成しているとともに、端縁部３１Ａから左右一対の傾斜脚部３５を有し、傾斜脚部３５の部分において屈曲可能である。
一対の傾斜脚部３５の間は三角形状の第１の空隙部３６とし、さらに一対の補助貫通孔３４と挿通領域３３との間も左右一対の第２の空隙部３７としている。
【００５８】
挿通領域３３は、起立用領域３２の左右に位置して、その先端部３３Ａにそれぞれ前記貫通孔１１を形成している。
【００５９】
なお、左右一対の貫通孔１１および一対の補助貫通孔３４を結ぶ線方向１１Ａは、ＲＦＩＤインレット３の長さ方向３Ａに対して、（したがって、端縁部３１Ａに対しても）平行である。
【００６０】
こうした構成のＲＦＩＤタグ３０においても、結束バンド１２を用いてＲＦＩＤタグ３０を任意の物品（たとえば金属製品Ｍないしはその首部ＭＮ）に取り付けることができる。
図１１は、結束バンド１２を用いてＲＦＩＤタグ３０を任意の金属製品Ｍ（首部ＭＮ）に取り付ける状態の途中を示す斜視図、図１２は、結束バンド１２を用いてＲＦＩＤタグ３０を金属製品Ｍ（首部ＭＮ）に取り付けた状態を示す側面図である。
【００６１】
図１１に示すように、起立用領域３２および挿通領域３３を端縁部３１Ａを境にして首部ＭＮの表面に沿って折り返し、挿通領域３３における一対の貫通孔１１を起立用領域３２における一対の補助貫通孔３４にそれぞれ重ね合わせるように変形した状態で、結束バンド１２をそのテール部１５から挿通領域３３の貫通孔１１および起立用領域３２の補助貫通孔３４に挿通した状態で、バンド本体１３を首部ＭＮに掛け回し、テール部１５をヘッド部１４の貫通係合孔１６に挿通してゆく。
なお、起立用領域３２の内方および外方には、第１の空隙部３６および第２の空隙部３７が形成されているので、貫通孔１１を補助貫通孔３４に重ね合わせるように挿通領域３３を起立用領域３２に合わせてゆく際に、挿通領域３３および起立用領域３２の変形操作を円滑に行うことができる。
【００６２】
ついで図１２に示すように、テール部１５をヘッド部１４に対してさらに引き出すように引っ張り、リング状となったバンド本体１３により首部ＭＮを締め付けることにより、起立用領域３２の先端縁３２Ａおよび挿通領域３３の先端部３３Ａをともに首部ＭＮの表面に乗り上げさせ、起立用領域３２の先端部３２Ａが首部ＭＮの外表面に密着するとともに、インレット保持領域３１が端縁部３１Ａの部分で屈曲して首部ＭＮから起立する状態とする。
かくして、インレット保持領域３１を起立用領域３２および挿通領域３３に対して端縁部７Ａから変形させることにより、インレット保持領域３１内のＲＦＩＤインレット３が金属製品Ｍから離反するようにＲＦＩＤタグを物品に取り付ける。
したがって、ＲＦＩＤインレット３が金属製品Ｍから離間した状態を保つため、データ通信機能を維持可能である。
しかも、インレット保持領域３１の内部に収容されているＲＦＩＤインレット３は、その長さ方向３Ａにおいて金属製品Ｍ（首部ＭＮおよび肩部ＭＳ）の表面との相対位置関係をほぼ均一にするようにその取付け姿勢を調整するように取り付けることができるので、データ通信機能を安定化することができる。
【００６３】
本発明において、タグ基材２の形状はもちろん、貫通孔１１あるいは補助貫通孔３４の形状や向き、および位置や数は、ＲＦＩＤインレット３のＲＦＩＤアンテナ６の大きさないし広さ、金属製品Ｍ（首部ＭＮおよび肩部ＭＳ）の形状や大きさ、結束バンド１２の種類などに応じて任意に選択可能である。
【符号の説明】
【００６４】
１  ＲＦＩＤタグ（第１の実施例、図１）
２  タグ基材
３  ＲＦＩＤインレット
３Ａ  ＲＦＩＤインレット３の長さ方向
４  インレット基材
５  ＩＣチップ
６  ＲＦＩＤアンテナ
７  インレット保持領域
７Ａ  インレット保持領域７の端縁部
８  起立用領域
９  挿通領域
１０  接続領域
１１  左右一対の貫通孔
１１Ａ  左右一対の貫通孔１１を結ぶ線方向
１２  結束バンド（取付け具、図３、図４）
１３  結束バンド１２のバンド本体
１４  結束バンド１２のヘッド部
１５  結束バンド１２のテール部
１６  貫通係合孔
１７  固定用弾性係合突起
１８  帯状係合部
１９  凹凸部
２０  ＲＦＩＤタグ（第２の実施例、図７）
２１  インレット保持領域
２１Ａ  インレット保持領域２１の端縁部
２２  起立用領域
２２Ａ  起立用領域２２の先端縁
２３  挿通領域
３０  ＲＦＩＤタグ（第３の実施例、図７）
３１  インレット保持領域
３１Ａ  インレット保持領域３１の端縁部
３２  起立用領域
３２Ａ  起立用領域３２の先端縁
３３  挿通領域
３３Ａ  挿通領域３３の先端部
３４  左右一対の一対の補助貫通孔
３５  傾斜脚部
３６  第１の空隙部
３７  第２の空隙部
Ｍ    金属製品（物品、図５、図６、図８、図９、図１１、図１２）
ＭＮ  金属製品Ｍの首部
ＭＳ  金属製品Ｍの肩部
【図１】
0006513543.tif 000002
【図２】
0006513543.tif 000003
【図３】
0006513543.tif 000004
【図４】
0006513543.tif 000005
【図５】
0006513543.tif 000006
【図６】
0006513543.tif 000007
【図７】
0006513543.tif 000008
【図８】
0006513543.tif 000009
【図９】
0006513543.tif 000010
【図１０】
0006513543.tif 000011
【図１１】
0006513543.tif 000012
【図１２】
0006513543.tif 000013